(57)【要約】      （修正有）【課題】燃焼騒音の低減と燃費の向上を両立できる燃料噴射装置を提供する。【解決手段】要求トルクを発生させるためのメイン噴射と、メイン噴射前においてメイン噴射における燃料噴射量より少ない燃料噴射量で行われるパイロット噴射と、で構成され、パイロット噴射の回数は少なくとも３回以上であり、パイロット噴射の１回目の噴射による熱発生率のピーク時点ｃａ＿１，ｍａｘからパイロット噴射の最終回目（ｎ回目）の噴射による熱発生率のピーク時点ｃａ＿ｎ，ｍａｘまでの期間において、熱発生率のピーク値Ｖｐとボトム値Ｖｂとの差（Ｖｐ−Ｖｂ）が熱発生率のピーク値Ｖｐに対して６０％以下の範囲で推移するようにパイロット噴射のタイミングを設定する。【選択図】図３
2019167826.tif 000002
【特許請求の範囲】
【請求項１】
エンジンの燃料噴射装置であって、
要求トルクを発生させるためのメイン噴射と、メイン噴射前においてメイン噴射における燃料噴射量より少ない燃料噴射量で行われるパイロット噴射と、で構成され、
前記パイロット噴射の回数は少なくとも３回以上であり、
前記パイロット噴射の１回目の噴射による熱発生率のピーク時点から前記パイロット噴射の最終回目の噴射による熱発生率のピーク時点までの期間において、熱発生率のピーク値とボトム値との差が熱発生率のピーク値に対して６０％以下の範囲で推移するように前記パイロット噴射のタイミングを設定することを特徴とする燃料噴射装置。
【請求項２】
請求項１に記載の燃料噴射装置であって、
前記パイロット噴射の最終回目の噴射による熱発生率のピーク時点から前記メイン噴射による熱発生率のピーク時点まで熱発生率を低下させないように前記パイロット噴射の最終回目の噴射のタイミングを設定することを特徴とする燃料噴射装置。
【請求項３】
請求項１又は２に記載の燃料噴射装置であって、
前記パイロット噴射のｉ＋１回目の噴射による熱発生率の上昇開始時点が前記パイロット噴射のｉ回目の噴射による熱発生率のピーク時点と略等しくなるように前記パイロット噴射のタイミングを設定することを特徴とする燃料噴射装置。
【請求項４】
請求項１〜３のいずれか１項に記載の燃料噴射装置であって、
前記パイロット噴射による燃料噴射量の総計は、前記メイン噴射と前記パイロット噴射による燃料噴射量の総計の２０％以上であることを特徴とする燃料噴射装置。
【請求項５】
請求項１〜４のいずれか１項に記載の燃料噴射装置であって、
前記パイロット噴射の燃焼期間が前記エンジンのクランク角において１０ｄｅｇ以上であることを特徴とする燃料噴射装置。
【発明の詳細な説明】
【技術分野】
【０００１】
本発明は、燃料噴射装置に関する。
【背景技術】
【０００２】
所望トルクを得る為に必要な量の燃料を噴射（メイン噴射）する直前に、少量の燃料を噴射（パイロット噴射）する等、１燃焼サイクル中に燃料を複数回噴射（多段噴射）させる燃料噴射制御装置が開示されている。これにより、メイン噴射に起因した燃焼（メイン燃焼）による熱発生の上昇速度を遅くさせ、メイン燃焼に伴い生じる燃焼騒音の低減を図っている。
【０００３】
例えば、内燃機関での燃焼に伴い生じる騒音のうち所定周波数の騒音と相関のある物理量（燃焼振動量）を取得し、１回の燃焼で用いる燃料を複数回に分割して噴射させる、すなわちメイン噴射を複数回に分割して行う技術が開示されている（特許文献１）。また、エンジン高負荷域の少なくとも低速域において、拡散燃焼用のメイン噴射を複数回に分割して行い、１段目の分割噴射の噴射量よりも２段目の分割噴射の噴射量を多くする技術が開示されている。
【先行技術文献】
【特許文献】
【０００４】
【特許文献１】特開２０１６−１５１２５９号公報
【発明の概要】
【発明が解決しようとする課題】
【０００５】
従来技術では、メイン噴射の前に行われるパイロット噴射を分割する燃料噴射制御についての言及はない。また、メイン噴射を分割する方法では、燃料の燃焼期間が長期化し、燃費が悪化する。したがって、燃焼騒音の低減と燃費の向上を両立できる技術が望まれている。
【課題を解決するための手段】
【０００６】
本発明の１つの態様は、エンジンの燃料噴射装置であって、要求トルクを発生させるためのメイン噴射と、メイン噴射前においてメイン噴射における燃料噴射量より少ない燃料噴射量で行われるパイロット噴射と、で構成され、前記パイロット噴射の回数は少なくとも３回以上であり、前記パイロット噴射の１回目の噴射による熱発生率のピーク時点から前記パイロット噴射の最終回目の噴射による熱発生率のピーク時点までの期間において、熱発生率のピーク値とボトム値との差が熱発生率のピーク値に対して６０％以下の範囲で推移するように前記パイロット噴射のタイミングを設定することを特徴とする燃料噴射装置である。
【０００７】
ここで、前記パイロット噴射の最終回目の噴射による熱発生率のピーク時点から前記メイン噴射による熱発生率のピーク時点まで熱発生率を低下させないように前記パイロット噴射の最終回目の噴射のタイミングを設定することが好適である。
【０００８】
また、前記パイロット噴射のｉ＋１回目の噴射による熱発生率の上昇開始時点が前記パイロット噴射のｉ回目の噴射による熱発生率のピーク時点と略等しくなるように前記パイロット噴射のタイミングを設定することが好適である。
【０００９】
また、前記パイロット噴射による燃料噴射量の総計は、前記メイン噴射と前記パイロット噴射による燃料噴射量の総計の２０％以上であることが好適である。
【００１０】
また、前記パイロット噴射の燃焼期間が前記エンジンのクランク角において１０ｄｅｇ以上であることが好適である。
【発明の効果】
【００１１】
本発明によれば、燃焼騒音の低減と燃費の向上を両立できる燃料噴射装置を提供することができる。
【図面の簡単な説明】
【００１２】
【図１】第１の実施の形態における燃料噴射装置の構成を示す図である。
【図２】第１の実施の形態におけるパイロット噴射による熱発生率例を示す図である。
【図３】第１の実施の形態におけるパイロット噴射によるフラットな熱発生率例示す図である。
【図４】第１の実施の形態におけるパイロット噴射のケース１〜３を説明する図である。
【図５】第１の実施の形態におけるパイロット噴射の回数とケース１〜３の関係例を示す図である。
【図６】第１の実施の形態におけるパイロット噴射の回数と燃焼騒音との関係を示す図である。
【図７】第１の実施の形態におけるパイロット噴射の回数と等容度との関係を示す図である。
【図８】第１の実施の形態におけるパイロット噴射の回数と燃焼消費率との関係を示す図である。
【図９】第１の実施の形態における燃料消費率と燃焼騒音との関係を示す図である。
【図１０】第１の実施の形態における熱発生率の変動率を説明する図である。
【図１１】第１の実施の形態における熱発生率の変動率と燃料消費率との関係を示す図である。
【図１２】第１の実施の形態における熱発生率の変動率と燃焼騒音との関係を示す図である。
【図１３】第１の実施の形態における燃料噴射装置の制御方法を示すフローチャートである。
【図１４】第２の実施の形態におけるパイロット噴射及びメイン噴射による熱発生率例を示す図である。
【図１５】第２の実施の形態におけるパイロット噴射及びメイン噴射の例を示す図である。
【図１６】第２の実施の形態におけるパイロット噴射の回数と燃焼騒音との関係を示す図である。
【図１７】第２の実施の形態におけるパイロット噴射の回数と等容度との関係を示す図である。
【図１８】第２の実施の形態におけるパイロット噴射の回数と燃焼消費率との関係を示す図である。
【図１９】第２の実施の形態における燃料消費率と燃焼騒音との関係を示す図である。
【図２０】第２の実施の形態におけるパイロット噴射を２回行うときの噴射パターン例を示す図である。
【図２１】第２の実施の形態におけるパイロット噴射を５回行うときの噴射パターン例を示す図である。
【図２２】第２の実施の形態におけるパイロット噴射及びメイン噴射によるブーツ型の熱発生率例を示す図である。
【図２３】第２の実施の形態における燃料消費率と燃焼騒音との関係を示す図である。
【図２４】第２の実施の形態における燃料噴射装置の制御方法を示すフローチャートである。
【発明を実施するための形態】
【００１３】
＜第１の実施の形態＞
本発明の実施の形態における燃料噴射装置１００は、図１に示すように、エンジン１０及びコントローラ１０２を含んで構成される。
【００１４】
エンジン１０は、既知のように、シリンダ１２とシリンダヘッド１４とピストン１６とを備える。シリンダ１２、シリンダヘッド１４及びピストン１６によって形成される燃焼室に対して吸気ポート１８および排気ポート２０が設けられる。吸気ポート１８は吸気弁２２によって開閉され、排気ポート２０は排気弁２４によって開閉される。燃料噴射弁２６は、シリンダヘッド１４に設けられる。燃料噴射弁２６は、燃焼室内に燃料を供給できるように配置される。燃料噴射弁２６は、コモンレール式の燃料噴射手段（図示しない）に接続されており、燃焼室内に高圧の燃料が噴射できるように構成されている。
【００１５】
吸気ポート１８に連なる吸気通路３０には、その上流側から下流側に向けて順次、エアクリーナ３２，第１排気ターボ式過給機３４のコンプレッサホイール３４ａ、第２排気ターボ式過給機３６のコンプレッサホイール３６ａ、インタークーラ３８，スロットル弁４０，サージタンク４２が設けられる。そして、サージタンク４２とエンジン１０の各気筒とが個々独立して接続される。なお、吸気通路３０には、バイパス通路４４を設けてもよい。バイパス通路４４により、第２排気ターボ式過給機３６により過給されない状態で吸気を行うことができる。
【００１６】
排気ポート２０に連なる排気通路５０には、その上流側から下流側に向けて順次、第２排気ターボ式過給機３６のタービンホイール３６ｂ、第１排気ターボ式過給機３４のタービンホイール３４ｂ、酸化触媒５２、ＤＰＦ５４が設けられる。排気通路５０は、バイパス通路５６とウエストゲート通路５８とを有する。これにより、第２排気ターボ式過給機３６や第１排気ターボ式過給機３４を介さずに排気することを可能にしている。
【００１７】
吸気通路３０と排気通路５０とは、ＥＧＲ通路６０を介して接続される。このＥＧＲ通路６０の上流側端は、タービンホイール３６ｂの上流側の排気通路５０に通じている。また、ＥＧＲ通路６０の下流側端は、スロットル弁４０とサージタンク４２の間の吸気通路３０に通じている。ＥＧＲ通路６０には、ＥＧＲクーラ６２が接続されると共に、ＥＧＲクーラ６２の下流側においてＥＧＲ弁６４が配設される。ＥＧＲ通路６０には、ＥＧＲクーラ６２をバイパスするバイパス通路６６が設けられる。そして、バイパス通路６６には、制御弁６８が配置される。これにより、ＥＧＲクーラ６２を介したＥＧＲとＥＧＲクーラ６２を介さないＥＧＲを切り替えることができる。
【００１８】
第１排気ターボ式過給機３４は、第２排気ターボ式過給機３６に比べて大型であり、高負荷域では主として第１排気ターボ式過給機３４による過給が行われる。第２排気ターボ式過給機３６は、小型であり、低回転、低負荷域では、主として第２排気ターボ式過給機３６による過給が行われる。
【００１９】
本実施の形態では、燃料噴射弁２６からの燃料噴射制御は、マイクロコンピュータを利用して構成されたコントローラ１０２によって行われる。コントローラ１０２には、少なくともエンジン１０での燃焼状態を示す状態量（燃料噴射量、負荷（アクセル開度や過給圧）、エンジン回転数、筒内温度、筒内圧力、酸素モル濃度等）を検出する各センサ等からの信号が入力される。コントローラ１０２は、これらの状態量に応じて燃料噴射弁２６からの燃料噴射（燃料噴射タイミング、燃料噴射量、燃料噴射期間等）を制御する。
【００２０】
燃料噴射は、予混合燃焼用となるパイロット噴射と、拡散燃焼用となるメイン噴射とを組み合わせて行われる。メイン噴射は、圧縮上死点（ＴＤＣ）付近からＴＤＣ後の膨張行程に掛けて拡散燃焼が行われるようにその噴射タイミングが設定される。メイン噴射は、エンジン１０において要求トルクを発生させるために行われる。パイロット噴射は、ＴＤＣよりも前に行われる。パイロット噴射は、メイン噴射の着火遅れ期間を短縮させ、燃焼騒音を低下させるために行われる。
【００２１】
以下、図２及び図３のタイミングチャートを参照して、本実施の形態におけるパイロット噴射とメイン噴射の制御について説明する。パイロット噴射は、ＴＤＣ前において少なくとも３回以上行われる。また、図２に示すように、噴射の回数をｎ回とし、ｉ回目のパイロット噴射による燃焼室内における熱発生率の開始時点ｃａ＿ｉ，ｉｇ、ｉ回目のパイロット噴射による燃焼室内における熱発生率の最大時点（ピーク時点）及び最大熱発生率をそれぞれｃａ＿ｉ，ｍａｘ、Ｖｐ＿ｉとする。
【００２２】
３回以上のパイロット噴射を行う場合、図４（ａ）〜図４（ｃ）に示すように、３つのパターンが考えられる。図４（ａ）のケース１では、パイロット噴射の各々による熱発生率が重なり合い、これらを足し合わせた全体としての熱発生率のピーク値Ｖｐが単独のパイロット噴射による熱発生率のピーク値Ｖｐ＿ｉより大きくなる。図４（ｂ）のケース２では、パイロット噴射の各々による熱発生率が重なり合い、これらが適度に干渉し合い、これらを足し合わせた全体としての熱発生率のピーク値Ｖｐが単独のパイロット噴射による熱発生率のピーク値Ｖｐ＿ｉより大きくならず、略フラットな形状となる。図４（ｃ）のケース３では、パイロット噴射の各々による熱発生率が離れており、これらが干渉せず、それぞれの立ち上がりと立ち下がりが明瞭になる。
【００２３】
これらのパイロット噴射の３つのパターンについてエンジン１０での燃焼についてシミュレーションを行った。シミュレーションには、高速かつ高精度な燃焼シミュレータ（ＵｎｉＤＥＳ：参考文献「自動車技術会論文集ｖｏｌ．４３（２０１２）Ｎｏ．１，ｐ１０９−１１４」）を用いて行った。シミュレーションでは、熱発生率のパターンを入力し、それぞれ２〜５回のパイロット噴射を行った場合のケース１〜３のパターンについて燃焼騒音（Ｃｏｍｂｕｓｔｉｏｎ  ｎｏｉｓｅ）、熱効率（等容度）、図示燃料消費率（ＩＳＦＣ）を算出した。図５（ａ）〜図５（ｄ）は、それぞれ２〜５回のパイロット噴射を行った場合のケース１〜３のパターンについてエンジン１０での熱発生率のパターンを示す。なお、図５（ａ）〜図５（ｄ）では、ケース１を一点破線、ケース２を実線、ケース３を破線で示している。
【００２４】
ここで、パイロット噴射の回数をｎ回とするとき、パイロット噴射による全体の投入発熱量は２０Ｊ×ｎとした。また、メイン噴射とパイロット噴射を合わせた合計の投入発熱量は６４０Ｊとした。すなわち、パイロット噴射による投入発熱量が増加した分だけメイン噴射による投入発熱量を減少させた。また、メイン噴射の熱発生率はクランク角において０ｄｅｇ〜２０ｄｅｇの期間（２０ｄｅｇ）で固定し、熱発生率の形状は二等辺三角形パターンとした。
【００２５】
図６は燃焼騒音、図７は等容度、図８は燃料消費率（ＩＳＦＣ）のシミュレーションの結果を示す。図６に示されるように、ケース１ではパイロット噴射の回数が増加するにつれて燃焼騒音が増加した。これに対して、ケース２及び３ではパイロット噴射の回数が増加するにつれて燃焼騒音が減少した。一方、図７に示されるように、ケース１及び２ではパイロット噴射の回数が増加しても等容度は略一定であった。これに対して、ケース３ではパイロット噴射の回数が増加するにつれて等容度は大きく減少した。また、図８に示されるように、ケース１及び２ではパイロット噴射の回数が増加してもＩＳＦＣは略一定であった。これに対して、ケース３ではパイロット噴射の回数が増加するにつれてＩＳＦＣは大きく増加した。
【００２６】
図９は、横軸を図示燃料消費率（ＩＳＦＣ）、縦軸を燃焼騒音（Ｃｏｍｂｕｓｔｉｏｎ  ｎｏｉｓｅ）としてケース１〜３の各々のシミュレーション結果を示す。ケース１の場合、熱発生率のピーク値Ｖｐが大きくなり、燃焼騒音が大きくなった。また、ケース３の場合、パイロット噴射の回数が増加するほど、パイロット噴射による発熱の時期が進角側になるので、等容度が低下し、燃費が悪化する。これに対して、ケース２の場合、ケース３に対して同じパイロット噴射の回数でも燃焼騒音を低下させることができる。また、パイロット噴射の回数が増加しても発熱のタイミングが進角側になり過ぎず、パイロット噴射の増量に対して燃焼騒音を低下させつつ、等容度の低下を抑制でき、燃費性能も向上させることができる。
【００２７】
図１０は、パイロット噴射の１回目の噴射による熱発生率のピーク時点ｃａ＿ｉ，ｍａｘからパイロット噴射の最終回目の噴射による熱発生率のピーク時点ｃａ＿ｎ，ｍａｘまでの期間における熱発生率の変動率を示す。熱発生率の変動率は、数式（１）のように、パイロット噴射の１回目の噴射による熱発生率のピーク時点ｃａ＿ｉ，ｍａｘからパイロット噴射の最終回目の噴射による熱発生率のピーク時点ｃａ＿ｎ，ｍａｘまでの期間における熱発生率のピーク値Ｖｐとボトム値Ｖｂとの差（Ｖｐ−Ｖｂ）の熱発生率のピーク値Ｖｐに対する比として定義される。
（数１）
変動率＝（Ｖｐ−Ｖｂ）／Ｖｐ・・・（１）
【００２８】
ここで、パイロット噴射の１回目の噴射による熱発生率のピーク時点ｃａ＿ｉ，ｍａｘからパイロット噴射の最終回目の噴射による熱発生率のピーク時点ｃａ＿ｎ，ｍａｘまでの期間における熱発生率の変動率は６０％以下となるようにパイロット噴射のタイミングを設定することが好適である。すなわち、当該条件を満たす場合をケース２の熱発生率を略フラットな形状ということができる。
【００２９】
例えば、パイロット噴射のｉ＋１回目の噴射による熱発生率の上昇開始時点ｃａ＿ｉ＋１，ｉｇがパイロット噴射のｉ回目の噴射による熱発生率のピーク時点ｃａ＿ｉ，ｍａｘと略等しくなるようにパイロット噴射のタイミングを設定することにより熱発生率を略フラットな形状に維持することができる。
【００３０】
図１１は、熱発生率の変動率に対する燃料消費率（ＩＳＦＣ）の変化を示す。また、図１２は、熱発生率の変動率に対する燃焼騒音の変化を示す。図１１及び図１２に示されるように、パイロット噴射の１回目の噴射による熱発生率のピーク時点ｃａ＿ｉ，ｍａｘからパイロット噴射の最終回目の噴射による熱発生率のピーク時点ｃａ＿ｎ，ｍａｘまでの期間における熱発生率の変動率を６０％以下とすることで燃料消費及び燃焼騒音の低減を両立することができる。
【００３１】
なお、パイロット噴射による燃料噴射量の総計は、メイン噴射とパイロット噴射による燃料噴射量の総計の２０％以上とすることが好適である。また、パイロット噴射の燃焼期間がエンジン１０のクランク角において１０ｄｅｇ以上とすることが好適である。これは、図５（ｃ）及び図５（ｄ）に示すパイロット噴射の回数が３回以上に相当し、燃焼騒音と等容度及び燃費とのバランスが最も良い状態となる。
【００３２】
ただし、これらの条件に限定されるものではなく、燃焼騒音をより向上させたいときにはパイロット噴射の回数をより増加すればよいし、燃費をより向上させたいときにはパイロット噴射の回数をより減少させればよい。
【００３３】
図１３は、本実施の形態における燃料噴射装置１００の制御方法を示すフローチャートである。以下の制御は、コントローラ１０２によって燃料噴射装置１００の各部を制御することにより実現される。
【００３４】
ステップＳ１０では、エンジン１０における燃料噴射量、回転数及びトルクの状態量が取得される。これらの状態量は、エンジン１０に設けた各種センサによってコントローラ１０２へ入力される。
【００３５】
ステップＳ１２では、吸気弁２２の閉鎖時点（ＩＶＣ）でのエンジン１０の筒内温度、筒内圧力及び酸素モル濃度が取得される。これらの状態量は、ＩＶＣのタイミングに合わせてエンジン１０に設けた各種センサによってコントローラ１０２へ入力される。
【００３６】
ステップＳ１４では、パイロット噴射の回数、噴射期間及び噴射量が決定される。コントローラ１０２では、ステップＳ１０で取得された状態量及びＳ１２で取得されたエンジン１０の筒内温度、筒内圧力及び酸素モル濃度の組み合わせに応じてパイロット噴射の回数、噴射期間及び噴射量を設定する。例えば、状態量、筒内温度、筒内圧力及び酸素モル濃度の組み合わせに対して適切なパイロット噴射の回数、噴射期間及び噴射量を求めてマップ（データベース）として記憶させておき、当該マップを参照することで設定することができる。
【００３７】
ステップＳ１６では、パイロット噴射の熱発生率のピークが略フラットとなるようにパイロット噴射のタイミングを設定する。コントローラ１０２は、ステップＳ１４で設定されたパイロット噴射の回数、噴射期間及び噴射量に応じて、パイロット噴射の１回目の噴射による熱発生率のピーク時点ｃａ＿ｉ，ｍａｘからパイロット噴射の最終回目の噴射による熱発生率のピーク時点ｃａ＿ｎ，ｍａｘまでの期間において、熱発生率のピーク値Ｖｐとボトム値Ｖｂとの差（Ｖｐ−Ｖｂ）が熱発生率のピーク値Ｖｐに対して６０％以内の範囲で推移するようにパイロット噴射のタイミングを設定する。具体的には、パイロット噴射の回数、噴射期間及び噴射量に応じて当該条件を満足するパイロット噴射のタイミングを予め求めてマップ（データベース）として記憶させておき、当該マップを参照することでパイロット噴射の熱発生率のピークが略フラットとなるようにパイロット噴射のタイミング設定することができる。例えば、パイロット噴射の回数、噴射期間及び噴射量に応じて当該条件を満足するパイロット噴射のタイミングは、燃焼シミュレータ（ＵｎｉＤＥＳ）を用いて予め算出すればよい。また、例えば、実際のエンジン１０においてパイロット噴射の回数、噴射期間及び噴射量に応じた熱発生率を測定し、熱発生率のピークが略フラットとなるパイロット噴射のタイミングを実験的に求めればよい。
【００３８】
なお、ステップＳ１４及びＳ１６においてマップ（データベース）を用いる態様としたが、ステップＳ１２及びＳ１４で取得されたパラメータを引数とする関数等でパイロット噴射の回数、噴射期間、噴射量及びタイミングを求めるようにしてもよい。
【００３９】
＜第２の実施の形態＞
第２の実施の形態では、メイン噴射とパイロット噴射の噴射タイミングの制御も行う。本実施の形態では、第１の実施の形態で示した一連のパイロット噴射による熱発生率とメイン噴射による熱発生率とが時間的に切れ間無く繋がるようにメイン噴射とパイロット噴射のタイミングを制御する。
【００４０】
図１４は、パイロット噴射とメイン噴射のタイミングと熱発生率の関係を示す。ここで、パイロット噴射の最終回目の噴射による熱発生率のピーク時点ｃａ＿ｎ，ｍａｘからメイン噴射による熱発生率のピーク時点ｃａ＿ｍａｉｎ，ｍａｘまで熱発生率を低下させない、すなわちパイロット噴射の最終回目の噴射による熱発生率のピーク値Ｖｐ＿ｎより熱発生率が下がらないようにパイロット噴射の最終回目の開始時点ｃａ＿ｎ，ｉｇを設定することが好適である。例えば、メイン噴射の熱発生率の開始時点ｃａ＿ｍａｉｎ，ｉｇがパイロット噴射の最終回目（ｎ回目）の熱発生率のピーク時点ｃａ＿ｎ，ｍａｘと同時になるようにパイロット噴射のタイミングを設定する。これにより、パイロット噴射による熱発生率とメイン噴射による熱発生率とが時間的に切れ間無く繋がったブーツ型の熱発生率を実現することができる。
【００４１】
上記ケース１〜３に加えて、パイロット噴射による熱発生率とメイン噴射による熱発生率が切れ目無く繋がったブーツ型となるようにパイロット噴射のタイミングを制御した場合をケース４として、パイロット噴射の回数を２〜５回まで変化させてシミュレーションを行った。図１５は、パイロット噴射の回数を５回としたケース２（破線）とケース４（実線）におけるクランク角に対する熱発生率の変化例を示す。
【００４２】
ここでも、パイロット噴射の回数をｎ回とするとき、パイロット噴射による全体の投入発熱量は２０Ｊ×ｎとした。また、メイン噴射とパイロット噴射を合わせた合計の投入発熱量は６４０Ｊとした。すなわち、パイロット噴射による投入発熱量が増加した分だけメイン噴射による投入発熱量を減少させた。また、メイン噴射の熱発生率はクランク角において０ｄｅｇ〜２０ｄｅｇの期間（２０ｄｅｇ）で固定し、熱発生率の形状は二等辺三角形パターンとした。
【００４３】
図１６は燃焼騒音、図１７は等容度、図１８は燃料消費率（ＩＳＦＣ）のシミュレーションの結果を示す。図１６に示されるように、ケース４ではケース１〜３のいずれよりも燃焼騒音が低減できた。また、パイロット噴射の回数が増加するにつれて燃焼騒音が低下した。一方、図１７に示されるように、ケース４ではパイロット噴射の回数が増加しても等容度は略一定であった。また、図１８に示されるように、ケース４ではパイロット噴射の回数が増加してもＩＳＦＣは略一定であった。
【００４４】
図１９は、横軸を図示燃料消費率（ＩＳＦＣ）、縦軸を燃焼騒音（Ｃｏｍｂｕｓｔｉｏｎ  ｎｏｉｓｅ）としてケース１〜４の各々のシミュレーション結果を示す。ケース４の場合、ケース１〜３に対して同じパイロット噴射の回数でも燃焼騒音を低下させることができた。
【００４５】
なお、パイロット噴射の各々の噴射タイミングは、第１の実施の形態と同様に設定することが好適である。すなわち、パイロット噴射の１回目の噴射による熱発生率のピーク時点ｃａ＿ｉ，ｍａｘからパイロット噴射の最終回目の噴射による熱発生率のピーク時点ｃａ＿ｎ，ｍａｘまでの期間において、熱発生率のピーク値Ｖｐとボトム値Ｖｂとの差（Ｖｐ−Ｖｂ）が熱発生率のピーク値Ｖｐに対して６０％以内の範囲で推移するようにパイロット噴射のタイミングを設定することが好適である。
【００４６】
本実施の形態におけるブーツ型の熱発生率を実現するためのパイロット噴射とメイン噴射の条件をシミュレーションにて確認した。図２０は、パイロット噴射を２回行うパターンを示す。図２１は、パイロット噴射を５回行うパターンを示す。なお、パイロット噴射とメイン噴射との総噴射燃料量は同じであるので、パイロット噴射を５回行った場合には２回行った場合に比べてメイン噴射における燃料噴射量は少なくなる。
【００４７】
図２２は、これら２つのパターンについて、クランク角に対する熱発生率の変化をシミュレーションした結果を示す。図２２に示されるように、５回の多段パイロット噴射のタイミングを調整することで、ブーツ型の熱発生率を実現することができることを確認した。なお、図２３に示すように、これら２つのパターンにおいて燃焼騒音及び燃料消費率はいずれも２回よりも５回のパイロット噴射を行った方が優れていた。
【００４８】
パイロット噴射では燃料噴射量が少量であるのでエンジン１０の燃焼室内における貫通（ペネトレーション）が弱く、燃焼室内の壁面まで燃料は到達しないと考えられる。そうすると、気流に起因する熱損失と噴霧に起因する熱損失について考察すると、噴霧に起因する熱損失はメイン噴射によるものと推察できる。そして、メイン噴射における燃料噴射量はパイロット噴射の回数が増加するほど少なくなるので、メイン噴射における噴霧に起因する熱損失は小さくなり、燃費が低減するものと考えられる。
【００４９】
図２４は、本実施の形態における燃料噴射装置１００の制御方法を示すフローチャートである。以下の制御は、コントローラ１０２によって燃料噴射装置１００の各部を制御することにより実現される。ステップＳ１０〜Ｓ１４の処理は、第１の実施の形態と同様であるので説明を省略する。
【００５０】
ステップＳ１８では、パイロット噴射の熱発生率のピークが略フラットとなり、かつメイン噴射とパイロット噴射の熱発生率がブーツ型となるようにパイロット噴射とメイン噴射のタイミングを設定する。
【００５１】
コントローラ１０２は、ステップＳ１４で設定されたパイロット噴射の回数、噴射期間及び噴射量に応じて、パイロット噴射の１回目の噴射による熱発生率のピーク時点ｃａ＿ｉ，ｍａｘからパイロット噴射の最終回目の噴射による熱発生率のピーク時点ｃａ＿ｎ，ｍａｘまでの期間において、熱発生率のピーク値Ｖｐとボトム値Ｖｂとの差（Ｖｐ−Ｖｂ）が熱発生率のピーク値Ｖｐに対して６０％以内の範囲で推移するようにパイロット噴射のタイミングを設定する。さらに、パイロット噴射の最終回目の噴射による熱発生率のピーク時点ｃａ＿ｎ，ｍａｘからメイン噴射による熱発生率のピーク時点ｃａ＿ｍａｉｎ，ｍａｘまで熱発生率を低下させないようにメイン噴射とパイロット噴射のタイミングを設定する。
【００５２】
具体的には、パイロット噴射の回数、噴射期間及び噴射量に応じて当該条件を満足するパイロット噴射とメイン噴射のタイミングを予め求めてマップ（データベース）として記憶させておき、当該マップを参照することでパイロット噴射の熱発生率のピークが略フラットとなり、パイロット噴射とメイン噴射の熱発生率がブーツ型となるように噴射のタイミング設定することができる。マップ（データベース）は、燃焼シミュレータ（ＵｎｉＤＥＳ）を用いて予め算出したり、実際のエンジン１０において実験的に求めたりすればよい。
【００５３】
なお、ステップＳ１４及びＳ１６においてマップ（データベース）を用いる態様としたが、ステップＳ１２及びＳ１４で取得されたパラメータを引数とする関数等でパイロット噴射の回数、噴射期間、噴射量及びパイロット噴射とメイン噴射のタイミングを求めるようにしてもよい。
【符号の説明】
【００５４】
１０  エンジン、１２  シリンダ、１４  シリンダヘッド、１６  ピストン、１８  吸気ポート、２０  排気ポート、２２  吸気弁、２４  排気弁、２６  燃料噴射弁、３０  吸気通路、３２  エアクリーナ、３４  第１排気ターボ式過給機、３４ａ  コンプレッサホイール、３４ｂ  タービンホイール、３６  第２排気ターボ式過給機、３６ａ  コンプレッサホイール、３６ｂ  タービンホイール、３８  インタークーラ、４０  スロットル弁、４２  サージタンク、４４  バイパス通路、５０  排気通路、５２  酸化触媒、５４  ＤＰＦ、５６  バイパス通路、５８  ウエストゲート通路、６０  ＥＧＲ通路、６２  ＥＧＲクーラ、６４  ＥＧＲ弁、６６  バイパス通路、６８  制御弁、１００  燃料噴射装置、１０２  コントローラ。
【図１】
2019167826.tif 000003
【図２】
2019167826.tif 000004
【図３】
2019167826.tif 000005
【図４】
2019167826.tif 000006
【図５】
2019167826.tif 000007
【図６】
2019167826.tif 000008
【図７】
2019167826.tif 000009
【図８】
2019167826.tif 000010
【図９】
2019167826.tif 000011
【図１０】
2019167826.tif 000012
【図１１】
2019167826.tif 000013
【図１２】
2019167826.tif 000014
【図１３】
2019167826.tif 000015
【図１４】
2019167826.tif 000016
【図１５】
2019167826.tif 000017
【図１６】
2019167826.tif 000018
【図１７】
2019167826.tif 000019
【図１８】
2019167826.tif 000020
【図１９】
2019167826.tif 000021
【図２０】
2019167826.tif 000022
【図２１】
2019167826.tif 000023
【図２２】
2019167826.tif 000024
【図２３】
2019167826.tif 000025
【図２４】
2019167826.tif 000026